(57)【特許請求の範囲】
【請求項１】
被照射体を走査する走査体が、筐体と蓋状保持部材とを有しており、
前記筐体は、被照射体を読取る読取部が取り付けられ、
前記蓋状保持部材は、前記被照射体に向けて光を照射する光源部を備えて前記筐体の開口部を覆うととともに、前記筐体に対して開閉支点を中心に開閉可能に取り付けられ、
前記光源部は、透光性を有する長尺な導光部材と、前記導光部材の長手方向の一端と他端に設けられた発光素子を有し、
前記一端の発光素子および前記他端の発光素子に対して電流を供給するための少なくとも２本の給電線が、前記走査体における前記開閉支点側の側壁の所定位置で一括して配線処理されていることを特徴とする画像読取り装置。
【請求項２】
請求項１に記載の画像読取り装置であって、
前記筐体は内部に複数の光学素子を備え、前記蓋状保持部材を筐体に対して開いた状態では、前記光学素子が前記開口部を介して露出されることを特徴とする画像読取り装置。
【請求項３】
請求項１又は２に記載の画像読取り装置であって、
前記開閉支点は、副走査方向における前記蓋状保持部材の一端に形成された係止爪と、前記筐体に設けられた前記係止爪を嵌合させる爪嵌合部とからなることを特徴とする画像読取り装置。
【請求項４】
請求項１から３のいずれか１つに記載の画像読取り装置であって、
前記走査体の接続部位に接続されて、前記接続部位から前記走査体の移動方向に引き回して設けられ、前記走査部の移動に追従するフラットケーブルを有し、
前記所定位置と前記接続部位とは、前記走査体の主走査方向において並んで位置していることを特徴とする画像読取り装置。
【請求項５】
請求項１から４のいずれか１つに記載の画像読取り装置であって、
前記給電線は、前記蓋状保持部材の前記被照射体に対向する面に形成された溝部に埋め込まれていることを特徴とする画像読取り装置。
【請求項６】
請求項１から５のいずれか１つに記載の画像読取り装置と、
前記画像読取り装置により読取られた前記被照射体の画像を記録用紙に印刷する印刷部とを備えたことを特徴とする画像形成装置。
【発明の詳細な説明】
【技術分野】
【０００１】
本発明は、原稿等を読取る画像読取り装置、及びそれを備えた画像形成装置に関する。
【背景技術】
【０００２】
この種の画像読取り装置においては、ガラス上で原稿を副走査方向に搬送しつつ、ガラスの下方で、光源部により原稿を照明して、ＣＣＤ(Charge Coupled Device)等の撮像
素子により原稿を主走査方向に繰り返し走査して読取ったり、あるいはガラス上に原稿を位置決めして載置し、ガラスの下方で、光源部及び撮像素子等を副走査方向に移動させつつ、光源部により原稿を照明して、撮像素子により原稿を主走査方向に繰り返し走査して読取ったりしている。また、原稿を照明する光源部としては、種々のものがあり、蛍光灯やＬＥＤアレイ等が用いられている。
【０００３】
このような画像読取り装置では、原稿を照明する光を光源等が発光し、導光部材等を経由して原稿面に光が照射され、原稿面で反射された反射光（読取光）を反射ミラー等によって複数回反射させて所定の光路に沿ってＣＣＤ等の撮像素子まで到達させて撮像している。また、特許文献１のような、光源ユニットと読取ユニットが一体化したキャリッジ構造を有する画像読取り装置も提案されている。
【０００４】
キャリッジ構造を有する画像読取り装置においては、画像読取り装置を使用しているうちに、キャリッジ内部への埃進入や、ミラーやレンズ等の光学素子の軸ずれなどの不具合が発生する可能性がある。これらの不具合は正確な画像読取りの妨げとなるため、画像読取り装置の継続的な使用に際しては、キャリッジ構造を開放して内部の光学素子について清掃や位置合わせ等のメンテナンスをする必要がある。
【先行技術文献】
【特許文献】
【０００５】
【特許文献１】特開２００９−２１９０１１号公報
【発明の概要】
【発明が解決しようとする課題】
【０００６】
特許文献１では、光源取付台に給電線を敷設してキャリッジ内部に引き込み、光源取付台をキャリッジのカバーとして用いることにより、走査時においても給電線が周辺部材に引っ掛かることを防止する構成としている。しかし、特許文献１においては、キャリッジ内部の光学素子の清掃や位置合わせ等のメンテナンスをする場合の作業性については特に考慮されていない。また、光源取付台の副走査方向における中央近辺で給電線をキャリッジ内部に引き込んでいることから、キャリッジ内部での給電線の取り回しが煩雑なものとなり、作業者が光源取付台を取り外す際に、給電線と光学素子とが接触してしまい破損してしまうおそれや、給電線の取り回しに十分に注意する必要があり、作業効率が低下するという問題があった。
【０００７】
そこで、本発明は、上記従来の問題点に鑑みなされたものであり、光源ユニットと読取ユニットが一体化したキャリッジ構造を有する画像読取り装置においても、キャリッジ内部を開放して光学素子の清掃や位置合わせ等のメンテナンスをする際に、作業者の給電線の取り回しを簡便に行って、光学素子と給電線の接触による装置破損を防止し、作業効率を向上させることが可能な画像読取り装置及び画像形成装置を提供することを目的とする。
【課題を解決するための手段】
【０００８】
上記課題を解決するために、本発明の画像読取り装置は、被照射体を走査する走査体が、筐体と蓋状保持部材とを有しており、前記筐体は、被照射体を読取る読取部が取り付けられ、前記蓋状保持部材は、前記被照射体に向けて光を照射する光源部を備えて前記筐体の開口部を覆うととともに、前記筐体に対して開閉支点を中心に開閉可能に取り付けられ、前記光源部は、透光性を有する長尺な導光部材と、前記導光部材の長手方向の一端と他端に設けられた発光素子を有し、前記一端の発光素子および前記他端の発光素子に対して電流を供給するための少なくとも２本の給電線が、前記走査体における前記開閉支点側の側壁の所定位置で一括して配線処理されている。
【０００９】
このような本発明の画像読取り装置では、開閉支点側の側壁において給電線を一括して配線処理することにより、蓋状保持部材を筐体に対して開いた状態で筐体内部のメンテナンス作業を行う際に、開閉支点を略回転中心として蓋状保持部材を回転させることになり、開閉支点側の側壁で配線処理された給電線の移動距離を最小限にすることができる。給電線の移動距離が少ないことから、他の部材と給電線が接触する可能性を低減でき、給電線の取り回しが簡便なものとなる。これにより、メンテナンス作業時においても給電線の取り回しを簡便に行い、給電線が周辺の部材や筐体内部の部材と接触させず、装置破損の防止と作業効率の向上を両立させることができる。
【００１０】
また、本発明の画像読取り装置においては、前記筐体は内部に複数の光学素子を備え、前記蓋状保持部材を筐体に対して開いた状態では前記光学素子が前記開口部を介して露出される。
【００１１】
これにより、蓋状保持部材を筐体に対して開いた作業者は、筐体内に配置された反射ミラーやレンズなどの光学素子について、容易に清掃や位置合わせなどの作業をすることができる。
【００１２】
更に、本発明の画像読取り装置においては、前記開閉支点は、副走査方向における前記蓋状保持部材の一端に形成された係止爪と、前記筐体に設けられた前記係止爪を嵌合させる爪嵌合部とからなる。
【００１３】
この場合は、蓋状保持部材を筐体から取り外す場合に、係止爪を略回転中心として蓋状保持部材を回転させることになり、開閉支点側の側面で配線処理された給電線の移動距離を最小限にすることができる。また、係止爪と爪嵌合部という簡便な構造で開閉支点を構成することができるため、蓋状保持部材の筐体に対して開くことが容易となり、給電線の取り回しがさらに簡便なものとなる。
【００１４】
また、本発明の画像読取り装置においては、前記走査体の接続部位に接続されて、前記接続部位から前記走査体の移動方向に引き回して設けられ、前記走査部の移動に追従するフラットケーブルを有し、前記所定位置と前記接続部位とは、前記走査体の主走査方向において並んで位置している。
【００１５】
このように、フラットケーブルと並んで給電線を配線処理していることにより、蓋状保持部材を筐体から取り外す作業時においても、すべての配線が他の部材に接触する可能性を低減でき、作業効率をさらに向上させることができる。
【００１６】
また、本発明の画像読取り装置においては、前記給電線は、前記蓋状保持部材の前記被照射体に対向する面に形成された溝部に埋め込まれている。
【００１７】
この場合、蓋状保持部材の上面側に設けられた溝に埋め込まれることで、光源部に接続された給電線が蓋状保持部材の原稿側ではみ出すことなく配線処理され、給電線が他の部材と接触することを防止できる。また、蓋状保持部材の上面側に溝が設けられていることにより、走査体の内部で給電線を取り回す必要がなく、給電線全体を走査体の外部で配線処理することができるため、筐体内部の光学部材と給電線とが接触する可能性を極めて低くすることができる。これにより画像読取り装置の動作時やメンテナンス作業時において、給電線の取り回しを非常に簡便に行うことが可能となり、作業効率をさらに向上させることができる。
【００１８】
一方、本発明の画像形成装置は、上記本発明の画像読取り装置と、前記画像読取り装置により読取られた前記被照射体の画像を記録用紙に印刷する印刷部とを備えている。
【００１９】
このような画像形成装置においても、上記本発明の画像読取り装置と同様の作用効果を奏することができる。
【発明の効果】
【００２０】
本発明では、開閉支点側の側壁において給電線を一括して配線処理することにより、蓋状保持部材を筐体に対して開いて筐体内部のメンテナンス作業を行う際に、開閉支点を略回転中心として蓋状保持部材を回転させることになり、開閉支点側の側壁で配線処理された給電線の移動距離を最小限にすることができる。これにより、キャリッジ内部を開放して光学素子の清掃や位置合わせ等のメンテナンスをする際に、作業者の給電線の取り回しを簡便に行って、光学素子と給電線の接触による装置破損を防止し、作業効率を向上させることが可能な画像読取り装置及び画像形成装置を提供できる。
【図面の簡単な説明】
【００２１】
【図１】本発明の画像読取り装置の第１実施形態を備えた画像形成装置を示す断面図である。
【図２】図１の画像読取り装置及び原稿搬送装置を示す断面図である。
【図３】走査ユニットを拡大して示す断面図である。
【図４】走査ユニットを示す斜視図である。
【図５】走査ユニットの端部を拡大して示す斜視図である。
【図６】ハーネスを配線処理した走査ユニットを示す斜視図である。
【図７】ＣＣＤサブユニットから光源サブユニットを筐体に対して開いた状態の走査ユニットを示す斜視図である。
【図８】走査ユニットの下面側を示す斜視図である。
【図９】走査ユニットの下面側の端部を拡大して示す斜視図である。
【発明を実施するための形態】
【００２２】
（第１実施形態）
以下、本発明の実施形態を図面に基づいて説明する。
【００２３】
図１は、本発明の画像読取り装置の第１実施形態を備えた画像形成装置を示す断面図である。この画像形成装置１は、原稿を読取って記録用紙に印刷する複写機能を有しており、画像読取り装置２、原稿搬送装置３、印刷部４、及び給紙カセット５等を備えている。
【００２４】
この画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部４においては、現像装置１２、感光体ドラム１３、ドラムクリーニング装置１４、及び帯電器１５を各色に応じた４種類のトナー像を形成するためにそれぞれ４個ずつ設け、それぞれをブラック、シアン、マゼンタ、及びイエローに対応付けて、４つの画像ステーションＰａ、Ｐｂ、Ｐｃ、Ｐｄを構成している。
【００２５】
各画像ステーションＰａ、Ｐｂ、Ｐｃ、Ｐｄのいずれにおいても、ドラムクリーニング装置１４により感光体ドラム１３表面の残留トナーを除去及び回収した後、帯電器１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００２６】
引き続いて、中間転写ベルト２１を矢印方向Ｃに周回移動させつつ、ベルトクリーニング装置２５により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００２７】
中間転写ベルト２１と２次転写装置２６の転写ローラ２６ａとの間にはニップ域が形成されており、用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ３１と加圧ローラ３２との間に記録用紙を挟み込んで加熱及び加圧し、記録用紙上のカラーのトナー像を定着させる。
【００２８】
一方、記録用紙は、ピックアップローラ３３により給紙カセット５から引出されて、用紙搬送経路Ｒ１を通じて搬送され、２次転写装置２６や定着装置１７を経由し、排紙ローラ３６を介して排紙トレイ３９へと搬出される。この用紙搬送経路Ｒ１には、記録用紙を一旦停止させて、記録用紙の先端を揃えた後、中間転写ベルト２１と転写ローラ２６ａ間のニップ域でのカラーのトナー像の転写タイミングに合わせて記録用紙の搬送を開始するレジストローラ３４、記録用紙の搬送を促す各搬送ローラ３５、排紙ローラ３６等が配置されている。
【００２９】
また、記録用紙の表面だけではなく、裏面の印字を行う場合は、記録用紙を排紙ローラ３６から反転経路Ｒｒへと逆方向に搬送して、記録用紙の表裏を反転させ、記録用紙をレジストローラ３４へと再度導き、記録用紙の表面と同様に、記録用紙の裏面に画像を記録して定着し、記録用紙を排紙トレイ３９へと搬出する。
【００３０】
次に、第１実施形態の画像読取り装置２について説明する。図２は、画像読取り装置２及び原稿搬送装置３を示す断面図である。
【００３１】
図２において、原稿搬送装置３は、その奥の一辺をヒンジ（図示せず）により下側の画像読取り装置２の一辺に枢支され、その手前側を上下させることにより開閉される。原稿搬送装置３を開いたときには、画像読取り装置２の原稿載置ガラス４１が開放される。
【００３２】
画像読取り装置２は、原稿載置ガラス４１、原稿読取りガラス４２、走査ユニット４３等を備えている。移動ユニット４４は、走査ユニット４３を副走査方向Ｙにガイドするガイドシャフト４８と、走査ユニット４３を副走査方向Ｙに移動させて位置決めする駆動部（図示せず）およびフラットケーブル４９とを備えている。
【００３３】
フラットケーブル４９は、フレキシブルフラットケーブル（ＦＦＣ）、フレキシブルプリント基板（ＦＰＣ）等であり、筐体の内側で概ね副走査方向Ｙに引き回され、その一端が走査ユニット４３のコネクタに接続され、その他端が筐体の底部に固定されたコネクタに接続されている。また、フラットケーブルは走査ユニット４３の副走査方向Ｙの移動に追従して上下方向及び副走査方向Ｙに湾曲して変形するようにしている。
【００３４】
走査ユニット４３は、光源部、結像レンズ４６、ＣＣＤ（Charge Coupled Device）４７、及び第１〜第５反射ミラー５１〜５５等を備え、移動ユニット４４により原稿載置ガラス４１及び原稿読取りガラス４２のいずれかの下方に移動され、原稿載置ガラス４１上に載置された原稿（被照射体）を読取ったり（第１読取りモード）、原稿読取りガラス４２上で搬送される原稿（被照射体）を読取ったりする（第２読取りモード）。
【００３５】
第１読取りモードでは、走査ユニット４３を移動ユニット４４により原稿載置ガラス４１の下方に移動させ、原稿搬送装置３を開いて、原稿を原稿載置ガラス４１上に載置し、原稿搬送装置３を閉じる。そして、走査ユニット４３を移動ユニット４４により副走査方向Ｙに原稿サイズに応じた距離だけ一定速度で移動させながら、原稿載置ガラス４１上の原稿を光源部によって照明し、その反射光を第１〜第５反射ミラー５１〜５５により順次反射して結像レンズ４６へと導く。結像レンズ４６は、原稿からの反射光をＣＣＤ４７（読取部）に集光して、原稿表面の画像をＣＣＤ４７上に結像させる。ＣＣＤ４７は、原稿表面の画像を繰り返し主走査方向Ｘに走査して、原稿表面の画像を読取る。
【００３６】
第２読取りモードでは、走査ユニット４３を移動ユニット４４により原稿読取りガラス４２の下方に移動させて位置決めし、原稿搬送装置３により、原稿を原稿載置トレイ５６から引き出して原稿読取りガラス４２上で副走査方向Ｙに搬送し原稿排紙トレイ５７へと排出させる。原稿が原稿読取りガラス４２上を通過するときに、走査ユニット４３の光源部により原稿表面を原稿読取りガラス４２を介して照明し、原稿表面からの反射光を走査ユニット４３の第１〜第５反射ミラー５１〜５５により順次反射して結像レンズ４６へと導き、原稿表面からの反射光を結像レンズ４６によりＣＣＤ４７に集光させて、原稿表面の画像をＣＣＤ４７上に結像させ、ＣＣＤ４７により原稿表面の画像を主走査方向Ｘに繰返し走査して、原稿表面の画像を読取る。
【００３７】
次に、走査ユニット４３の光源部について説明する。光源部では、主走査方向Ｘに延びるスリットＳｔの両側に各導光部材７１を配置し、各導光部材７１の両端の光入射面にそれぞれのＬＥＤ（発光素子）を配置している（図示せず）。ＬＥＤの代わりに、他の種類の半導体素子や電球等を適用しても構わない。
【００３８】
導光部材７１は、透光性を有する略円柱状または略四角柱状であって長尺な透光性本体からなり、透光性本体の長手方向の両端にそれぞれの光入射面が形成され、透光性本体の長手方向に沿う側面に光出射面が形成され、透光性本体の長手方向に沿う光出射面と対向する他の側面に光反射面が形成されている。この導光部材７１は、アクリル樹脂を金型で成形することにより形成される。
【００３９】
このような構成の光源部において、導光部材７１の両端の光入射面にそれぞれのＬＥＤが対峙していることから、各ＬＥＤから出射された光は、導光部材７１の光入射面に入射し、導光部材７１の内部で導光され、光出射面から直接出射されるか、光反射面で反射されて光出射面から出射される。
【００４０】
各導光部材７１の光出射面は、原稿載置ガラス４１又は原稿読取りガラス４２を介して原稿の同一箇所に向けられており、各導光部材７１の光出射面から出射されたそれぞれの光が原稿の同一箇所に入射して、原稿のその箇所が照明され、原稿のその箇所で反射された反射光が読取光としてスリットＳｔを通じて走査ユニット４３の内側に導かれ、読取光が第１〜第５反射ミラー５１〜５５により順次反射され結像レンズ４６を通じてＣＣＤ４７に入射し、ＣＣＤ４７により原稿表面の画像が読取られる。
【００４１】
次に、走査ユニット４３並びに光源部の構成を更に詳しく説明する。図３は、走査ユニット４３を示す断面図であり、図４は走査ユニット４３を示す斜視図であり、図５は、走査ユニット４３の端部を拡大して示す斜視図である。図６は走査ユニット４３において配線処理されたハーネス８０を示す斜視図である。
【００４２】
図３乃至図６に示すように走査ユニット４３は、上側が開口部となっている筐体６１と、筐体６１の上側の開口部で開閉可能に設けられた蓋状保持部材６２と、蓋状保持部材６２に設けられた光源部と、筐体６１の長手方向（主走査方向Ｘ）に沿う側壁に設けられたＣＣＤ基板６３とを有している。
【００４３】
筐体６１の内部には、結像レンズ４６及び第１〜第５反射ミラー５１〜５５が設けられている。また、蓋状保持部材６２は、筐体６１の上側開口部を概ね覆い、光源部を保持している。更に、ＣＣＤ基板６３には、ＣＣＤ４７が実装され、ＣＣＤ４７の受光面が筐体６１の側壁に形成されたスリット（図示せず）を通じて筐体６１の内側を臨んでいる。
【００４４】
第１〜第５反射ミラー５１〜５５は、ガラスの一面に銀蒸着で反射膜を形成したものであり、反射膜が形成された反射面と、反射面に略直交する端面と、反射面に対向する裏面を有しており、その断面形状は略矩形状で角部が面取り加工されている。また第１〜第５反射ミラー５１〜５５は、それぞれ図示しないミラーホルダによって筐体６１に固定されており、原稿によって反射された読取光の光路上に所定位置及び所定角度で配置されている。第１反射ミラー５１は、蓋状保持部材６２のスリットＳｔを通過してきた読取光が最初に入射するミラーであり、スリットＳｔの略直下に位置している。
【００４５】
蓋状保持部材６２には、主走査方向Ｘに長い２本の嵌合溝６２ａと、各嵌合溝６２ａの間のスリットＳｔとが形成されており、各嵌合溝６２ａにそれぞれ略円柱形状の導光部材７１が嵌め込まれている。したがって、各嵌合溝６２ａも部分円柱側面の形状をなしている。光源部では、各ＬＥＤ（図示せず）の光を導光部材７１の両端である光入射面に入射させ、各導光部材７１の一方の側面である光出射面から光を出射して、この光を原稿載置ガラス４１又は原稿読取りガラス４２を介して原稿に照射する。原稿で反射された読取光は、原稿載置ガラス４１又は原稿読取りガラス４２を透過し、蓋状保持部材６２のスリットＳｔを通じて筐体６１の内側に導かれ、第１〜第５反射ミラー５１〜５５で順次反射され、結像レンズ４６を通じてＣＣＤ４７に入射する。
【００４６】
光源部は、２本の導光部材７１及び４個のＬＥＤの他に、ＬＥＤが２個ずつ実装された２枚のＬＥＤ基板６４と、各ＬＥＤ基板６４の外側表面に重ねて設けられた２個の放熱板とを有している。
【００４７】
また、各導光部材７１は、蓋状保持部材６２の各遮蔽部６２ｂ，６２ｃの嵌合溝６２ａに嵌め込まれて保持され、各導光部材７１の両端部が蓋状保持部材６２の両側の各連結部まで延在している。そして、２本の導光部材７１の光入射面が連結部の各開口孔に配置され、ＬＥＤ基板６４及び放熱板６５が連結部に取り付けられ、ＬＥＤ基板６４上の各ＬＥＤが連結部の各開口孔に配置されている。従って、２本の導光部材７１の両端部、各ＬＥＤ、２枚のＬＥＤ基板６４及び２個の放熱板６５は、筐体６１の外側に配置されている。
【００４８】
遮蔽部６２ｃと嵌合溝６２ａとの間には、原稿載置ガラス４１と対向する上面に、主走査方向に延在してハーネス８０（図３〜５では図示省略）を這わせる配線溝６６が形成されている。また、遮蔽部６２ｃの画像形成装置におけるフロント側には、ハーネス８０を係止するための引っ掛けリブ６９が設けられている。ここで、画像形成装置におけるフロント側とは、画像形成装置の操作パネル等が配置される側であり、利用者またはメンテナンス作業者が画像形成装置を操作する際に位置する側である。
【００４９】
これにより、筐体６１には、内部に結像レンズ４６及び第１〜第５反射ミラー５１〜５５が固定され、外部にＣＣＤ基板６３およびＣＣＤ４７が取り付けられてＣＣＤサブユニットを構成している。また、蓋状保持部材６２は、嵌合溝６２ａ、遮蔽部６２ｂ，６２ｃで構成されて、ＬＥＤを備えるＬＥＤ基板６４、放熱板６５、導光部材７１が取り付けられて光源サブユニットを構成している。
【００５０】
図４乃至図６に示すように、遮蔽部６２ｃの端部には２つの係止爪６７が形成されており、筐体６１の側壁に形成された爪嵌合部７０に嵌合されている。遮蔽部６２ｂにはビス止め用の開口部が形成されており、筐体６１側に設けられたビス止め孔にビス６８によって位置決めされて固定されている。これにより、ＣＣＤサブユニットに対して光源サブユニットが固定され、走査ユニット４３が組み立てられる。
【００５１】
図６に示すように、２本のハーネス８０は各ＬＥＤ基板６４に設けられたコネクタに接続された給電線であり、各ＬＥＤ基板６４に対して電流を供給してＬＥＤを発光させる。ＬＥＤ基板６４に接続されたハーネス８０は、筐体６１と放熱板６５との間隙から遮蔽部６２ｃの上面に引き出され、配線溝６６に埋め込まれて配線処理される。また、２本のハーネス８０は、それぞれ遮蔽部６２ｃの引っ掛けリブ６９が形成された位置まで導光部材７１に沿って配線されるとともに、引っ掛けリブ６９が形成された位置の近傍で筐体６１の側壁に向かって配線されており、引っ掛けリブ６９と筐体６１との間において２本が一括して筐体６１の下面側に取り出されている。ここで、遮蔽部６２ｃのハーネス８０を配線する位置全体にわたって配線溝６６が形成されていてもよい。
【００５２】
ハーネス８０が蓋状保持部材６２の上面側に設けられた配線溝６６に埋め込まれることで、ＬＥＤ基板６４に接続されたハーネス８０が蓋状保持部材６２の原稿側ではみ出すことなく配線処理され、ハーネス８０が他の部材と接触することを防止できる。また、蓋状保持部材６２の上面側に配線溝６６が設けられていることにより、走査体４３の内部でハーネス８０を取り回す必要がなく、ハーネス８０全体を走査体４３の外部で配線処理することができる。
【００５３】
図７に、走査ユニット４３のメンテナンス作業時において、ＣＣＤサブユニット８１から光源サブユニット８２を取り外した状態を斜視図で示す。作業者が走査ユニット４３の内部の清掃や光学素子の位置調整などのメンテナンス作業をする際には、図１に示す本発明の画像形成装置１の原稿搬送装置３を開くことで、原稿載置ガラス４１も原稿搬送装置３とともに開かれ、画像読取り装置２の内部に位置している走査ユニット４３が露出する。図７においては、ＣＣＤサブユニット８１内部の第１〜第５反射ミラー５５や結像レンズ４６などの光学素子は一部の図示を省略している。
【００５４】
次に、走査ユニット４３の蓋状保持部材６２を筐体６１に固定している２箇所のビス６８を取り外し、係止爪６７と爪嵌合部７０の嵌合部分を略中心軸として、蓋状保持部材６２を回転させることで係止爪６７と爪嵌合部７０の嵌合を解除する。ここで係止爪６７と爪嵌合部７０は、光源サブユニット８２を開閉可能に取り付けるための開閉支点として機能している。これにより、ＣＣＤサブユニット８１から光源サブユニット８２が取り外され、ＣＣＤサブユニット８１の内部に固定されている第１〜第５反射ミラー５１〜５５および結像レンズ４６が筐体６１の開口部を介して露出される。
【００５５】
この光源サブユニット８２を取り外す作業においては、ＣＣＤサブユニット８１は画像読取り装置２の内部に配置された状態でよく、走査ユニット４３全体を取り外すことなく筐体６１内に固定された第１〜第５反射ミラー５１〜５５および結像レンズ４６などの光学素子を作業可能な状態に露出できる。したがって、作業者は、容易に筐体６１内に配置された光学素子について、清掃や位置合わせなどの作業をすることができる。
【００５６】
ハーネス８０は筐体６１の開閉支点が設けられた側壁から引っ掛けリブ６９との間を通して下方に引き出されている。したがって、開閉支点を略回転中心として蓋状保持部材６２を回転させて係止爪６７と爪嵌合部７０の嵌合を解除し、蓋状保持部材６２を取り外すというメンテナンス作業の動作時において、ハーネス８０の移動距離を最小限にすることができる。ハーネス８０の移動距離が少ないことから、他の部材とハーネス８０が接触する可能性を低減でき、ハーネス８０の取り回しが簡便なものとなる。また、引っ掛けリブ６９と筐体６１との間からハーネス８０を引き出しているので、引っ掛けリブ６９によってハーネス８０を蓋状保持部材６２の所定位置に保持したままメンテナンス作業を行うことができる。
【００５７】
さらに、引っ掛けリブ６９が設けられている位置は、開閉支点である係止爪６７と爪嵌合部７０よりも、作業者が画像形成装置１に対峙しているフロント側であることから、蓋状保持部材６２の開閉作業において、作業者がハーネス８０の位置を確認しやすく作業性が向上する。
【００５８】
次に、走査ユニット４３の下面側における配線処理を説明する。図８は、走査ユニット４３の下面側を示す斜視図であり、図９は走査ユニット４３の下面側の端部を拡大して示す斜視図である。
【００５９】
図８，９に示すように走査ユニット４３の下面側には、筐体６１の裏面にＬＥＤの駆動制御をおこなう駆動回路を搭載したＬＥＤドライブ基板８３が取り付けられている。また、ＬＥＤドライブ基板８３には駆動回路から引き出された配線に接続される複数のコネクタが設けられており、その１つにはハーネス８０が接続され、他の１つには配線８４が接続されている。配線８４は、筐体６１の側壁とＣＣＤ基板６３との間を通して配線処理されており、その他端がＣＣＤ基板６３に設けられたコネクタに接続されている。また、ＣＣＤ基板６３には外部接続コネクタ８５が設けられており、走査ユニット４３の下側を通されたフラットケーブル４９が接続されている。図８，９では配線８４として２本の配線を描いているが、必要な本数であれば何本が接続されていてもよい。
【００６０】
フラットケーブル４９は、図１で示したように走査ユニット４３から引き回されて画像読取り装置２の底部に固定されたコネクタに接続され、走査ユニット４３に対して電力と制御信号等を供給するともに、走査ユニット４３で読み取った原稿の画像データを伝達している。つまり、フラットケーブル４９を介してＣＣＤ基板６３に対して電力と制御信号が供給され、ＣＣＤ４７の駆動および画像データ伝送が行われる。また、ＣＣＤ基板６３から配線８４を介してＬＥＤドライブ基板８３に電力の供給と信号の伝達が行われ、ＬＥＤドライブ基板８３からハーネス８０を介してＬＥＤ基板６４およびＬＥＤに対して電力と信号の伝達が行われる。
【００６１】
ＬＥＤドライブ基板８３のハーネス８０が接続されるコネクタの位置は、図６，７で示したように引っ掛けリブ６９が形成された位置の下方となっており、筐体６１の側壁とＣＣＤ基板６３の間を通してハーネス８０はＬＥＤドライブ基板８３に接続されている。また、引っ掛けリブ６９が形成されている位置は、走査ユニット４３の主走査方向において、フラットケーブル４９が接続されている外部接続コネクタ８５と略同一の位置とされている。
【００６２】
蓋状保持部材６２を取り外す作業時においても、走査ユニット４３の下面でのフラットケーブル４９および配線８４の位置は変化しない。また、ハーネス８０に関しても、筐体６１の側壁とＣＣＤ基板６３との間およびＬＥＤドライブ基板８３に接続された位置は、蓋状保持部材６２を取り外す作業時においても変化しない。
【００６３】
したがって、フラットケーブル４９および配線８４と略同一箇所でハーネス８０を配線処理しているため、光源サブユニット８２をＣＣＤサブユニット８１から取り外すメンテナンス作業時において、作業者がハーネス８０を含めたすべての配線の位置を確認しやすくなり、すべての配線が他の部材に接触する可能性をさらに低減でき、作業性が向上する。
【００６４】
（第２実施形態）
開閉支点の構造としては、係止爪６７と爪嵌合部７０の嵌合構造に限定されず、例えば、蓋状保持部材６２に円柱状のボス（支軸）を、筺体６１にはそのボスが入り込み蓋状保持部材６２を回転可能とする孔を用いてもよい。逆に、筺体６１に円柱状のボスを、蓋状保持部材６２にはそのボスが入り込み蓋状保持部材６２を回転可能とする孔を用いてもよい。また、上記構造以外に蝶番構造などを用いても良い。さらに、係止爪６７と爪嵌合部７０の嵌合構造、支軸と孔の構造や蝶番構造において、蓋状保持部材６２を筺体６１に対して開閉した時に、所定の角度で開いた状態を維持するために、筺体６１に図示しないストッパー（規制部）を設けてもよい。
【００６５】
（第３実施形態）
配線溝６６を形成する位置としては、蓋状保持部材６２の原稿載置ガラス４１と対向する面と反対側である下面であってもよい。また、引っ掛けリブ６９を設けてハーネス８０を引き出す側としてはリア側であってもよい。ここで、画像形成装置におけるリア側とはフロント側と対向する側である。
【００６６】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００６７】
１  画像形成装置
２  画像読取り装置
３  原稿搬送装置
４  印刷部
５  給紙カセット
４３  走査ユニット（走査体）
４５  照明装置
４６  結像レンズ
４７  ＣＣＤ（読取り部）
５１〜５５  第１〜第５反射ミラー
６１  筐体
６２  蓋状保持部材
６３  ＣＣＤ基板
６４  ＬＥＤ基板
６５  放熱板
６６  配線溝
６７  係止爪
６８  ビス
６９  引っ掛けリブ
７０  爪嵌合部
７１  導光部材
８０  ハーネス（給電線）
８１  ＣＣＤサブユニット
８２  光源サブユニット
８３  ＬＥＤドライブ基板
８４  配線
８５  外部接続コネクタ
Ｓｔ  スリット
【図１】
0006320190.tif 000002
【図２】
0006320190.tif 000003
【図３】
0006320190.tif 000004
【図４】
0006320190.tif 000005
【図５】
0006320190.tif 000006
【図６】
0006320190.tif 000007
【図７】
0006320190.tif 000008
【図８】
0006320190.tif 000009
【図９】
0006320190.tif 000010